(57)【要約】【課題】筐体の正面に設けられたフロントパネルが筐体に対して相対移動可能な構成において、使い勝手の向上を図ることができる空気清浄機を提供すること。【解決手段】空気清浄機１において、空気は、ファン１８によって、入口５から空気流路２２に取り込まれ、出口２０から排出される。本体ケース２の正面には、前寄りの第１位置と後寄りの第２位置とに本体ケース２に対して前後方向に相対移動可能なフロントパネル４が設けられており、入口５は、フロントパネル４に形成されている。入口５には、羽根板８が設けられている。羽根板８は、フロントパネル４が第１位置にあるときには入口５を開き、フロントパネル４が第２位置にあるときには入口５を閉じる。これにより、フロントパネル４を第１位置と第２位置との間で前後に移動させることで、本体ケース２の正面にある入口５における空気の吸込量を変更することができる。【選択図】図２
2010236722.tif 000002
【特許請求の範囲】
【請求項１】
筐体と、
前記筐体の正面に設けられ、前記筐体に対して前後方向に第１位置と第２位置とに相対移動可能なフロントパネルと、
前記フロントパネルに形成され、前記筐体内に空気を取り込むための入口と、
前記筐体に形成され、前記入口から取り込まれた空気が流れる空気流路と、
前記筐体に形成され、前記空気流路を流れた空気を排出するための出口と、
前記筐体に備えられ、空気を前記入口から前記空気流路に取り込んで前記出口へ送る送風手段と、
前記入口から取り込まれた空気を清浄化して前記空気流路下流側へと流す空気清浄化手段と、
前記入口に設けられ、前記フロントパネルが前方寄りの前記第１位置にあるときには前記入口を開き、前記フロントパネルが後方寄りの前記第２位置にあるときには前記入口を閉じる可動式羽根板と、
を含むことを特徴とする、空気清浄機。
【請求項２】
前記入口は、前記フロントパネルの下部に形成された第１入口と、前記第１入口よりも高い位置に形成された第２入口とを含み、
前記可動式羽根板は、前記第２入口に設けられ、前記フロントパネルが前記第１位置にあるときには前記第２入口を開き、前記フロントパネルが前記第２位置にあるときには前記第２入口を閉じることを特徴とする、請求項１記載の空気清浄機。
【請求項３】
前記出口は、前記筐体の前側面の下端部に設けられる下出口を含むことを特徴とする、請求項１または２記載の空気清浄機。
【請求項４】
前記送風手段による送風量を、前記フロントパネルが前記第１位置にあるときと前記第２位置にあるときとで変更する送風量変更手段を含むことを特徴とする、請求項１〜３のいずれかに記載の空気清浄機。
【発明の詳細な説明】
【技術分野】
【０００１】
この発明は、空気清浄機に関する。
【背景技術】
【０００２】
空気を取り込み、この空気を清浄化して機外へ放出する空気清浄機が知られている（特許文献１参照）。特許文献１に記載の空気清浄機では、吸気口および排気口を有する本体ケース内に、吸気口と排気口とを連通させる空気流路が設けられ、空気流路には、フィルターが配置されている。そして、この空気清浄機は、送風手段を備えており、送風手段が作動することで、空気が、吸気口から本体ケース内の空気流路に吸い込まれ、この空気は、フィルターを通過する際に清浄化された後に、排気口から排出される。
【０００３】
ここで、本体ケースは、ケース本体（本願発明の筐体に相当する。）と、ケース本体に対して着脱自在に装着される前ケース（本願発明のフロントパネルに相当する。）とから構成されており、吸気口は、前ケースの前面およびケース本体の側面に形成されている。このような構成の本体ケースにおいて、前ケースをケース本体から前方へ引き出すと、ケース本体と前ケースとの隙間が開き、吸気口だけでなくこの隙間から本体ケース内に空気を吸い込むことができる。
【先行技術文献】
【特許文献】
【０００４】
【特許文献１】特開２００５−５５０１９号公報
【発明の概要】
【発明が解決しようとする課題】
【０００５】
特許文献１に記載の空気清浄機では、前ケースをケース本体に対して移動させても、前ケースの前面に形成された吸気口の開口面積が変化する訳ではないので、前ケースの吸気口における空気の吸込量を任意に変更することができない。しかし、前ケースの吸気口における空気の吸込量を変更できると、前ケースの前方に存在する汚れた空気などを、その汚れ具合に応じて適切に清浄化できるので、使い勝手がよい。
【０００６】
この発明は、かかる背景のもとになされたもので、筐体の正面に設けられたフロントパネルが筐体に対して相対移動可能な構成において、使い勝手の向上を図ることができる空気清浄機を提供することを目的とする。
【課題を解決するための手段】
【０００７】
請求項１記載の発明は、筐体と、前記筐体の正面に設けられ、前記筐体に対して前後方向に第１位置と第２位置とに相対移動可能なフロントパネルと、前記フロントパネルに形成され、前記筐体内に空気を取り込むための入口と、前記筐体に形成され、前記入口から取り込まれた空気が流れる空気流路と、前記筐体に形成され、前記空気流路を流れた空気を排出するための出口と、前記筐体に備えられ、空気を前記入口から前記空気流路に取り込んで前記出口へ送る送風手段と、前記入口から取り込まれた空気を清浄化して前記空気流路下流側へと流す空気清浄化手段と、前記入口に設けられ、前記フロントパネルが前方寄りの前記第１位置にあるときには前記入口を開き、前記フロントパネルが後方寄りの前記第２位置にあるときには前記入口を閉じる可動式羽根板と、を含むことを特徴とする、空気清浄機である。
【０００８】
請求項２記載の発明は、前記入口は、前記フロントパネルの下部に形成された第１入口と、前記第１入口よりも高い位置に形成された第２入口とを含み、前記可動式羽根板は、前記第２入口に設けられ、前記フロントパネルが前記第１位置にあるときには前記第２入口を開き、前記フロントパネルが前記第２位置にあるときには前記第２入口を閉じることを特徴とする、請求項１記載の空気清浄機である。
【０００９】
請求項３記載の発明は、前記出口は、前記筐体の前側面の下端部に設けられる下出口を含むことを特徴とする、請求項１または２記載の空気清浄機である。
請求項４記載の発明は、前記送風手段による送風量を、前記フロントパネルが前記第１位置にあるときと前記第２位置にあるときとで変更する送風量変更手段を含むことを特徴とする、請求項１〜３のいずれかに記載の空気清浄機である。
【発明の効果】
【００１０】
請求項１記載の発明によれば、この空気清浄機では、空気が、送風手段によって、入口から空気流路に取り込まれ（吸い込まれ）、空気流路を流れた後に出口から排出される。
そして、空気清浄化手段が、入口から取り込まれた空気を清浄化して空気流路下流側へと流す。そのため、空気流路を流れた後に出口から排出される空気は、清浄化された空気である。
【００１１】
ここで、空気清浄機の筐体の正面には、前寄りの第１位置と後寄りの第２位置とに筐体に対して前後方向に相対移動可能なフロントパネルが設けられており、上述した入口は、フロントパネル、つまり筐体の正面に形成されている。そして、入口には、可動式羽根板が設けられている。
この可動式羽根板は、フロントパネルが第１位置にあるときには入口を開き、フロントパネルが第２位置にあるときには入口を閉じる。これにより、フロントパネルを第１位置と第２位置との間で前後に移動させることで、筐体の正面にある入口における空気の吸込量を変更することができるので、筐体の正面に存在する汚れた空気などを、その汚れ具合に応じて適切に清浄化できる。
【００１２】
その結果、筐体の正面に設けられたフロントパネルが筐体に対して相対移動可能な構成において、使い勝手の向上を図ることができる。
請求項２記載の発明によれば、フロントパネルにおいて、入口は、フロントパネルの下部に形成された第１入口と、第１入口よりも高い位置に形成された第２入口とを含んでいる。
【００１３】
ここで、可動式羽根板は、第２入口に設けられており、フロントパネルが第１位置にあるときには第２入口を開き、フロントパネルが第２位置にあるときには第２入口を閉じる。これにより、フロントパネルを第２位置に配置して第２入口を閉じると、第１入口のみにおいて空気が吸い込まれるので、第１入口における吸引力を上げることができ、第１入口の近傍、つまり、空気清浄機が載置される載置面付近の空気（この中には載置面上に溜まっていた花粉やハウスダストが多く含まれる）を優先して清浄化することができる。
【００１４】
請求項３記載の発明によれば、出口は、筐体の前側面の下端部に設けられる下出口を含んでいるので、空気流路を流れた空気は、下出口から排出される。これにより、下出口から排出された空気は、下出口の近傍、つまり、空気清浄機が載置される載置面に溜まるハウスダストや花粉等の塵埃を入口までまき上げることができるので、載置面に溜まりやすい塵埃を効率的に入口から吸い込むことができ、空気清浄効率の向上を図ることができる。
【００１５】
請求項４記載の発明によれば、送風量変更手段が、送風手段による送風量を、フロントパネルが第１位置にあるときと第２位置にあるときとで変更するので、入口における空気の吸込量をさらに細かく変更することができ、使い勝手の更なる向上を図ることができる。
【図面の簡単な説明】
【００１６】
【図１】空気清浄機１の正面図である。
【図２】フロントパネル４が第１位置にある状態における空気清浄機１の右側断面図である。
【図３】フロントパネル４が第２位置にある状態における空気清浄機１の右側断面図である。
【図４】（ａ）は、図２に変形例１を適用した図であり、（ｂ）は、（ａ）の要部拡大図であり、（ｃ）は、（ｂ）において、フロントパネル４が第２位置にある状態を示している。
【図５】（ａ）は、変形例２に係る空気清浄機１の左側断面図であり、（ｂ）は、（ａ）に示す空気清浄機１の正断面図である。
【図６】空気清浄機１の要部背面図である。
【図７】図６のＡ−Ａ矢視断面図である。
【図８】図７に変形例３を適用した図である。
【図９】図８に変形例４を適用した図である。
【発明を実施するための形態】
【００１７】
以下には、図面を参照して、この発明の一実施形態としての空気清浄機１について具体的に説明する。なお、以下での説明において、前側と正面側とは同義であり、後側と背面側とは同義であり、前後方向と略水平方向とは同義である。
＜空気清浄機の全体構成＞
図１は、空気清浄機１の正面図である。
【００１８】
図１を参照して、空気清浄機１の筐体としての本体ケース２は、縦長かつ前後方向（図１の紙面に垂直な方向）に薄い中空の略直方体形状である。
本体ケース２は、その下端部をなし、床面等の載置面Ｘに載置されるベース３を一体的に備えている。
そして、本体ケース２の正面（図１おける手前側の面）には、フロントパネル４が設けられている。
【００１９】
フロントパネル４は、正面から見て縦長で略矩形の板状をなし、本体ケース２においてベース３より上側の部分を正面側から覆い得る大きさを有している。フロントパネル４には、幅方向に長手の入口５が、上下に略等間隔を隔てて複数（ここでは４つ）形成されている。各入口５の幅方向寸法は、フロントパネル４の幅方向寸法より少し小さい。各入口５は、フロントパネル４を前後方向に貫通している。
【００２０】
以下では、４つの入口５のうち、最下位にある入口５を第１入口６とし、第１入口６よりも高い位置に形成された３つの入口５を第２入口７と区別することがある。第１入口６は、フロントパネル４の下端部に近い下部に形成されている。
この空気清浄機１では、後述するように、フロントパネル４が、本体ケース２に対して前後方向に相対移動可能である。そして、各入口５（厳密には第２入口７）には、フロントパネル４の前後の位置に応じて入口５を開閉する可動式の羽根板８が設けられている。
【００２１】
図２は、フロントパネル４が第１位置にある状態における空気清浄機１の右側断面図である。図３は、フロントパネル４が第２位置にある状態における空気清浄機１の右側断面図である。
図２に示すように、本体ケース２は、前側部分（図２では左側部分）をなすフロントケース１０と後側部分（図２では右側部分）をなすリヤケース１１とによって、その外郭が形成されている。フロントケース１０は、リヤケース１１より少し背が高い。上述したベース３は、フロントケース１０の下端部およびリヤケース１１の下端部の両方に亘って設けられている。
【００２２】
フロントケース１０の内部とリヤケース１１の内部とは、互いに連通している。
フロントケース１０の天面は、略水平方向に沿って平坦である。そして、フロントケース１０の天面には、操作パネル１２が設けられている。操作パネル１２に設けられた操作キー（図示せず）を操作することによって空気清浄機１の運転を制御することができ、空気清浄機１の運転条件および状態は、操作パネル１２に設けられた表示部（図示せず）に表示される。
【００２３】
リヤケース１１の天面には、リヤケース１１の内部に連通する出口２０が形成されている。
上述したフロントパネル４において、上端部４Ａと下端部４Ｂ（第１入口６より下側の部分）とのそれぞれは、後側（図２では右側）へ折り曲げられている。そして、フロントケース１０の前側面において、ベース３の僅か上側の位置には、後側へ細長く凹む凹部１３が形成されている。
【００２４】
フロントパネル４では、上端部４Ａが、フロントケース１０の天面に対して前側から載置され、下端部４Ｂが、フロントケース１０の凹部１３に対して前側から挿通されている。これにより、フロントパネル４は、フロントケース１０において凹部１３より上側の部分を上下から挟んだ状態で、本体ケース２（フロントケース１０）に対して前側から嵌め込まれている。そして、この状態で、フロントパネル４は、本体ケース２に対して、フロントケース１０の前側面に前から対向しつつ、スライドによって前後方向に相対移動可能である。前側へ目一杯スライドしたときのフロントパネル４の位置は、図２に示す第１位置とされ、後側へ目一杯スライドしたときのフロントパネル４の位置は、図３に示す第２位置とされる。
【００２５】
なお、フロントパネル４が第１位置および第２位置のそれぞれまでスライドしたときに、フロントパネル４を動かすユーザに対して、いわゆるクリック感が与えられると、使い勝手がよい。
そして、図２に示すように、フロントケース１０の前側面において、４つの入口５と上下方向（高さ方向）で同じ位置には、フロントケース１０の内部に連通する１つの開口１４が形成されている。開口１４は、上下方向に長手であり、４つの入口５の全てに対して後側から対向している。そして、開口１４は、フロントパネル４とフロントケース１０との間の空間２１を介して、４つの入口５の全てに連通している。ここで、本体ケース２内には、開口１４、フロントケース１０の内部およびリヤケース１１の内部をこの順で経由することで各入口５と出口２０とを連通させる空気流路２２が形成されている。
【００２６】
空気流路２２では、フロントケース１０の内部において開口１４に後側（図２では右側）から臨む位置に、空気清浄化手段としてのフィルタ１７が備えられ、リヤケース１１の内部においてフィルタ１７に後側から臨む位置に、送風手段としてのファン１８が備えられている。
フィルタ１７は、上下方向に長く前後方向に薄い矩形状であり、複数種類のフィルタ膜を積層することで構成されており、空気中に含まれる比較的大きな塵挨だけでなく、非常に細かな塵挨、たとえば花粉やたばこの煙の粒子等まで捕獲可能である。
【００２７】
ファン１８は、たとえば、シロッコファンであって、モータ１９に回転駆動されることによって吸引力を発生し、前側の空気を内側から吸い込んで外側へ吐出する。
ここで、図２に示すようにフロントパネル４が上述した第１位置にあって全ての入口５が開放されている状態を基準として、空気清浄機１において、ファン１８が駆動されると、空気清浄機１の外部にある空気が、ファン１８が発生する吸引力によって、各入口５より空気流路２２（本体ケース２内）に取り込まれる（吸い込まれる）。
【００２８】
この空気は、図２の太い実線矢印で示すように、空気流路２２を流れ、その途中においてフィルタ１７を通過することで塵埃や臭い成分が除去されて清浄化される。
清浄化された空気（以下では単に「空気」ということがある。）は、ファン１８によって下方へ吐出されて引き続き空気流路２２を流れ、その後、リヤケース１１の内壁にぶつかることで、湾曲しながら空気流路２２を上向きに流れ、出口２０から空気清浄機１の外部へ排出される。機外へ排出された（清浄化された）空気は、空気清浄機１の外部（たとえば室内）の隅々まで行き渡り、室内全体を万遍なく浄化する。
【００２９】
このように、ファン１８は、空気を入口５から空気流路２２に取り込んで出口２０へ送り、フィルタ１７は、入口５から取り込まれた空気を清浄化して空気流路２２の下流側へと流す。
＜羽根板＞
次に、各第２入口７に設けられた羽根板８について詳説する。羽根板８は、正面から見て幅方向に長手の矩形をなす板状であり、その幅方向寸法は、第２入口７の幅方向寸法とほぼ同じである（図１参照）。
【００３０】
羽根板８は、図２に示すように幅方向から見て、後上側（図２では右上側）へ傾斜しており、その傾斜方向における羽根板８の略中央位置には、羽根板８から幅方向外側へ突出する軸３０が一体的に設けられている。
各羽根板８において幅方向両側に設けられた軸３０のそれぞれは、フロントパネル４の後側面において対応する第２入口７の上端の幅方向両端を縁取る部分に一体的に設けられた支持部３１によって、揺動自在に支持されている。これにより、各羽根板８は、フロントパネル４の対応する支持部３１によって、軸３０を中心として揺動自在に支持されている。
【００３１】
ここで、各羽根板８は、図２に示す開位置と、図３に示す閉位置との間で揺動自在である。開位置にある羽根板８では、軸３０よりも前（下）側の部分が、対応する第２入口７から前側へ離間しており、これにより、第２入口７が前側へ開かれている（図２参照）。閉位置にある羽根板８では、軸３０よりも前（下）側の部分が、対応する第２入口７を前側から塞いでおり、これにより、第２入口７が閉じられている（図３参照）。
【００３２】
そして、図２に示すように、フロントパネル４の後側面において各第２入口７よりやや上側の位置には、後側へ突出する第１ボス３２が一体的に設けられている。また、各羽根板８の上（後）端部は、上側へ折り曲げられており、この上端部の前側面には、対応する（上下方向で同じ位置にある）第１ボス３２へ向けて前側へ突出する第２ボス３３が一体的に設けられている。
【００３３】
上下方向で同じ位置にあって前後方向において互いに対向する第１ボス３２と第２ボス３３との間には、前後方向に延びるコイルばね３４が介在されており、これらの第１ボス３２および第２ボス３３は、コイルばね３４によって連結されている。この状態で、コイルばね３４は、後側（図２では右側）へ伸びようとしており、第２ボス３３（対応する各羽根板８の上端部）を後向きに付勢している。これにより、図２のように空気清浄機１を右側から見て、各羽根板８は、軸３０を中心として時計回りの方向へ（開位置へ向かう方向）へ付勢されている。
【００３４】
そして、羽根板８に関連して、フロントケース１０の前側面において開口１４を避けた部分（詳しくは開口１４よりも幅方向において外側の部分）には、前側へ突出する複数の突起３５が一体的に設けられている。各突起３５は、対応する羽根板８の上（後）端部に後側から対向する位置に設けられている。これに応じて、突起３５は、少なくとも、上下方向に間隔を隔てて３つ並ぶように設けられている。
【００３５】
図２に示すようにフロントパネル４が第１位置にある場合には、３つの第２入口７に設けられた各羽根板８は、開位置にあって、３つすべての第２入口７が開かれている。このとき、各羽根板８の上端部は、対応する（上下方向で同じ位置にある）突起３５から前側へ離間している。
ここで、第１位置にあるフロントパネル４を後側へ押し込んで、図３に示す第２位置へ移動させると、各羽根板８の上端部が対応する突起３５によって後側から押され、これにより、各羽根板８は、コイルばね３４の付勢力に抗して、右側から見て反時計回りの方向へ揺動し、閉位置に移る。これにより、３つすべての第２入口７が閉じられる。
【００３６】
逆に、第２位置にあるフロントパネル４を前側へ目一杯引き出すと、図２に示すように、フロントパネル４が第１位置に戻り、各羽根板８が開位置に戻って３つすべての第２入口７が開かれる。
このように、各羽根板８は、フロントパネル４が前方寄りの第１位置にあるときには、対応する第２入口７を開き（図２参照）、フロントパネル４が後方寄りの第２位置にあるときには、対応する第２入口７を閉じる（図３参照）。
【００３７】
これにより、フロントパネル４を第１位置と第２位置との間で前後に移動させることで、本体ケース２の正面にある第２入口７（入口５）における空気の吸込量を変更することができるので、本体ケース２の正面に存在する汚れた空気などを、その汚れ具合に応じて適切に清浄化できる。
具体的には、本体ケース２の正面の空気の汚れがひどい場合には、フロントパネル４を第１位置にして全ての第２入口７を開き（図２参照）、汚れた空気を全ての入口５から吸い込んで効率的に清浄化することができる。その一方で、本体ケース２の正面の空気があまり汚れていない場合には、フロントパネル４を第２位置にして全ての第２入口７を閉じ（図３参照）、汚れた空気を第１入口６から吸い込むだけで十分に清浄化することができる。
【００３８】
以上の結果、本体ケース２の正面に設けられたフロントパネル４が本体ケース２に対して相対移動可能な構成において、使い勝手の向上を図ることができる。
ここで、フロントパネル４が第１位置および第２位置のいずれの位置にあっても、第１入口６は常に開かれている。これにより、フロントパネル４が第１位置にあるときには（図２参照）、フロントパネル４の前方の空気は、第１入口６および３つの第２入口７のそれぞれからほぼ均等に空気流路２２に取り込まれる。しかし、図３に示すように、フロントパネル４が第２位置にあるときには、フロントパネル４の前方の空気は、第１入口６のみから、フロントパネル４が第１位置にあるときも勢いよく、空気流路２２に取り込まれる。
【００３９】
つまり、フロントパネル４を第２位置に配置して第２入口７を閉じると、第１入口６のみにおいて空気が吸い込まれるので、第１入口６における吸引力を上げることができる。そのため、第１入口６の近傍、つまり、空気清浄機１が載置される載置面Ｘ付近の空気を優先して清浄化することができたり、載置面Ｘに落ちているハウスダストや花粉等を確実に回収したりすることができる。
＜変形例＞
（１）変形例１
図４において、（ａ）は、図２に変形例１を適用した図であり、（ｂ）は、（ａ）の要部拡大図であり、（ｃ）は、（ｂ）において、フロントパネル４が第２位置にある状態を示している。
【００４０】
図４を参照して、変形例１において、上述した突起３５は、いわゆる近接センサ等のセンサをなしている。そして、突起３５は、本体ケース２内に設けられてマイクロコンピュータ等で構成された制御部４０（送風量変更手段）に対して電気的に接続されている。制御部４０は、上述したモータ１９に対して電気的に接続されている。
ここで、上述したように、フロントパネル４が第１位置にあるときには（図４（ａ）および図４（ｂ）参照）、各羽根板８の上端部は、対応する突起３５から前側へ離間している一方で、フロントパネル４が第２位置にあるときには（図４（ｃ）参照）、各羽根板８の上端部は、対応する突起３５に前側から接触している。
【００４１】
そこで、突起３５は、対応する羽根板８の上端部が自分に接触しているか否かを検知することができ、この検知結果に基づいて、制御部４０は、フロントパネル４が第１位置および第２位置のいずれにあるかを把握することができる。そして、制御部４０は、フロントパネル４が第１位置にあるときと第２位置にあるときとで、モータ１９の回転数（換言すれば、ファン１８による送風量であり、各入口５における空気の吸込量でもある。）を変更する。
【００４２】
たとえば、ユーザによる操作パネル１２（図４（ａ）参照）の操作、または、図示しないセンサの検知結果に基づく機外の空気の汚れ具合に応じた制御部４０（図４（ａ）参照）による自動制御に応じて、空気清浄機１では、通常運転として、弱モード、標準モードおよび強モードのいずれかの空気清浄が選択的に実施されることとする。各入口５における空気の吸込量は、弱モード、標準モードおよび強モードの順に大きくなる。
【００４３】
ここで、一例として、フロントパネル４が第２位置（図３および図４（ｃ）参照）にある状態で通常運転がなされ、強モードのときに、フロントパネル４を第２位置から第１位置（図２および図４（ａ）参照）へ動かすと、制御部４０は、モータ１９の回転数を上げる。これにより、４つすべての入口５が開き、かつ、４つすべての入口５における空気の吸込量が、単に４つすべての入口５が開いている場合に比べて大きくなるので、急速モードによる運転として、室内の空気をより早く清浄化することができる。
【００４４】
また、別の例として、フロントパネル４が第１位置（図２および図４（ａ）参照）にある状態で通常運転がなされ、強モードのときに、フロントパネル４を第１位置から第２位置（図３および図４（ｃ）参照）へ動かすと、制御部４０は、モータ１９の回転数を上げる。これにより、フロントパネル４が第２位置にあることで上述したように第１入口６における吸引力が上がるのに加え、モータ１９の回転数を上がることで第１入口６における吸引力がさらに上がる。これにより、第１入口６における空気の吸込量が一層大きくなるので、上述した一例の場合とは別の急速モードによる運転として、載置面Ｘに落ちているハウスダストや花粉等をより早く回収することができる。
【００４５】
このように、変形例１では、制御部４０が、ファン１８による送風量を、フロントパネル４が第１位置にあるときと第２位置にあるときとで変更するので、入口５における空気の吸込量をさらに細かく変更することができ、使い勝手の更なる向上を図ることができる。
（２）変形例２
図５において、（ａ）は、変形例２に係る空気清浄機１の左側断面図であり、（ｂ）は、（ａ）に示す空気清浄機１の正断面図である。
【００４６】
上述し、また、図５の太い実線矢印で示すように、ファン１８によって下方へ吐出されて空気流路２２を流れる空気は、リヤケース１１の内壁にぶつかることで、湾曲しながら空気流路２２を上向きに流れ、リヤケース１１の天面の出口２０から空気清浄機１の外部へ排出される。
ここで、変形例２では、本体ケース２の前側面の下端部、詳しくは、上述したベース３の前端面に、下出口４５が形成されている。下出口４５は、リヤケース１１の天面に形成された出口２０と同様に、リヤケース１１の内部に連通している。
【００４７】
詳しくは、下出口４５は、ベース３の内部を介して、リヤケース１１の内部（空気流路２２）に下側から連通している。しかし、下出口４５は、フロントケース１０の内部には連通していない。
そのため、ファン１８によって下方へ吐出された空気の一部は、太い破線矢印で示すように、そのまま下方に向かい、ベース３の内部を介して、下出口４５から排出される。つまり、ファン１８によって下方へ吐出された空気は、出口２０だけでなく、下出口４５からも排出される。ここで、空気を排出するという面で、下出口４５は、出口２０に含まれる。なお、下出口４５から排出される空気の勢いは、出口２０から排出される空気の勢いに比べて緩やかである。
【００４８】
このように下出口４５から排出された空気は、下出口４５の近傍、つまり、空気清浄機１が載置される載置面Ｘに溜まるハウスダストや花粉等の塵埃を入口５（図５（ａ）では、上述した第１入口６のみ図示している。）までまき上げることができる。これにより、載置面Ｘに溜まりやすい塵埃を効率的に入口５から吸い込むことができ、空気清浄効率の向上を図ることができる。
【００４９】
ここで、下出口４５に近い第１入口６が大きいと、第１入口６では、下出口４５から排出された空気によって巻き上げられた塵埃を、一層効率的に吸い込むことができる。
また、ベース３内に、フロントパネル４の前後の位置に応じて下出口４５を開閉する弁５８（点線部分参照）を設けてもよい。この弁５８は、フロントパネル４が第１位置にあるときには（図２参照）、下出口４５を閉じる。一方、弁５８は、フロントパネル４が第２位置にあるときには（図３参照）、下出口４５を開く。
【００５０】
つまり、フロントパネル４が第２位置にあることで、下出口４５に近い第１入口６における吸引力が上がっているときに、下出口４５が開く。これにより、載置面Ｘに溜まった塵埃が、下出口４５から排出された空気によってまき上げられ、さらに、吸引力が強くなっている第１入口６から勢いよく吸い込まれるので、載置面Ｘに溜まった塵埃を効率的に回収することができる。
（３）変形例３
図６は、空気清浄機１の要部背面図である。図７は、図６のＡ−Ａ矢視断面図である。図８は、図７に変形例３を適用した図である。
【００５１】
図６および図７に示すように、フロントケース１０の上端部（リヤケース１１より高い位置にある部分）の背面には、幅方向に長手で前側へ向かう窪み５０が形成されている。この窪み５０に指を差し込んでフロントケース１０の上端部を掴むことにより、空気清浄機１を移動させることができる。
ここで、図７に示すように、窪み５０の奥側（前側であり、図７では左側）の上側には、フロントケース１０の内部に連通する穴５１が形成されており、フロントケース１０の上端部を掴む際、この穴５１に指先を入れることができる。そして、フロントケース１０において窪み５０を区画する区画面５２において穴５１の後端（図７では右端）を縁取る部分には、下向きに突出する凸部５３が形成されている。これにより、指先が穴５１に入った指の付け根側が凸部５３に引っ掛かるので、この指が滑って窪み５０から不意に外れることが防止される。
【００５２】
しかし、このように窪み５０の奥に穴５１を設ける構造の場合、フロントケース１０を金型成形する際に、区画面５２において穴５１を縁取る部分は、一般的に２つの金型の境界部分となることから、区画面５２において穴５１を縁取る部分（特に凸部５３）には、バリが生じやすい。凸部５３にバリが生じると、見映えが悪い上に、バリが邪魔になってフロントケース１０の上端部を掴みにくい。
【００５３】
そこで、図８に示すように、穴５１を設けず、その代わりに、窪み５０を後側（図８では右側）から開閉する蓋５４を設ける。この場合、窪み５０の後端部近傍における上側の区画面５２には、幅方向（図８の紙面に垂直な方向）に延びる回動軸５５が設けられており、蓋５４は、回動軸５５を中心として、図８（ａ）に示す閉位置と、図８（ｂ）に示す開位置との間で回動自在である。
【００５４】
閉位置にある蓋５４は、略上下方向に延び、窪み５０を後側からほぼ隙間なく塞ぐ。閉位置にある蓋５４を、右側から見て時計回り方向へ約９０°回動させると、蓋５４の位置が開位置に移る。開位置にある蓋５４は、上側の区画面５２に沿って略水平方向に延び、窪み５０を後側へ開放する。ここで、蓋５４が開位置にある状態において、蓋５４の下面には、上述した凸部５３が形成されており、窪み５０内に上から臨んでいる。
【００５５】
蓋５４が開位置にある状態で、開放された窪み５０に指を差し込んでフロントケース１０の上端部を掴み、空気清浄機１を移動させることができる。その際、凸部５３が滑り止めとなる。空気清浄機１の移動が完了した後に、窪み５０から指を抜くと、図示しないばねの付勢力によって、蓋５４は開位置から閉位置（図８（ａ）参照）に戻る。
この場合、穴５１（図７参照）を設けないので、上述したバリの問題が生じず、また、フロントケース１０を金型成形する際に窪み５０周辺における金型の構成を単純にすることができる。
（４）変形例４
図９は、図８に変形例４を適用した図である。
【００５６】
変形例３に関し、変形例４では、図９に示すように、上側の区画面５２に、たとえば近接センサやフォトマイクロスイッチや光電スイッチやマイクロスイッチ等で構成されるセンサ５６を設けてもよい。
センサ５６は、上述した制御部４０（図４（ａ）参照）に対して電気的に接続されている。センサ５６は、蓋５４が開位置にあるときにだけ（ハッチングが施されていない蓋５４を参照）、蓋５４の存在を検知することができ、センサ５６の検知結果に基づいて、制御部４０は、蓋５４が開位置にあるか閉位置（ハッチングが施された蓋５４を参照）にあるかを把握することができる。
【００５７】
そして、制御部４０は、蓋５４が開位置にあるとき（つまり、ユーザが窪み５０に指を入れて空気清浄機１を移動させるとき）に、モータ１９（図１参照）の駆動（換言すればファン１８の回転であり、空気清浄機１の運転）を停止させる。その後、上述したように空気清浄機１の移動が完了してから窪み５０から指を抜くことで蓋５４が開位置から閉位置（ハッチングが施された蓋５４を参照）に戻ると、制御部４０は、モータ１９を再び駆動させる。これにより、空気清浄機１の運転が自動的に再開する。
【００５８】
この結果、空気清浄機１の移動中における空気清浄機１の不必要な運転を自動的に停止させることができるので、使い勝手がよい。
この発明は、以上説明した実施形態に限定されるものではなく、請求項記載の範囲内において種々の変更が可能である。
たとえば、フロントパネル４を、上述した第１位置（図２参照）および第２位置（図３参照）といった２つの位置だけでなく、第１位置と第２位置との間における任意の位置で、位置決めできてもよい。これにより、各第２入口７（図１参照）において全開または全閉以外の状態も実現できるので、ユーザの好みに応じて、入口５における空気の吸込量をより細かく変更することができる。なお、第１位置と第２位置との間において、フロントパネル４の位置は、段階的に変化してもよいし、連続的に変化してもよい。
【００５９】
また、羽根板８は、３つの第２入口７（図１参照）の全てに設けられていなくてもよい。
【符号の説明】
【００６０】
１    空気清浄機
２    本体ケース（筐体）
４    フロントパネル
５    入口
６    第１入口
７    第２入口
８    羽根板
１７  フィルタ（空気清浄化手段）
１８  ファン（送風手段）
２０  出口
２２  空気流路
４０  制御部（送風量変更手段）
４５  下出口
【図１】
2010236722.tif 000003
【図２】
2010236722.tif 000004
【図３】
2010236722.tif 000005
【図４】
2010236722.tif 000006
【図５】
2010236722.tif 000007
【図６】
2010236722.tif 000008
【図７】
2010236722.tif 000009
【図８】
2010236722.tif 000010
【図９】
2010236722.tif 000011